(57)【特許請求の範囲】
【請求項１】
−  ベース部と、
−  該ベース部の上に配置される容器であって、取外し可能な底部を含む容器と、
−  前記取外し可能な底部と前記容器との間に配置される封止ガスケットであって、前記容器の内面に沿って前記取外し可能な底部から上方へと延在する１つよりも多くのリブを含む封止ガスケットとを含み、
前記１つよりも多くのリブは、前記封止ガスケットの内周の周りに分配される複数のリブを含むことを特徴とする、
ブレンダ。
【請求項２】
前記１つよりも多くのリブは、前記容器の下部の内面に沿って延在する、請求項１に記載のブレンダ。
【請求項３】
前記１つよりも多くのリブのうちの少なくとも１つは、前記封止ガスケットの内周と比べて径方向である方向に沿って延在するタブ部分を含む、請求項２に記載のブレンダ。
【請求項４】
前記タブ部分は、前記１つよりも多くのリブの上部に配置される、請求項３に記載のブレンダ。
【請求項５】
前記タブ部分は、切頭ピラミッドの形態を取る、請求項３に記載のブレンダ。
【請求項６】
前記封止ガスケットは、前記取外し可能な底部に面する第１の表面と、前記容器に面する第２の表面とを有する、リング要素を含み、前記第１の表面及び前記第２の表面のうちの少なくとも一方は、同心状の圧縮リブを含む、請求項１乃至５のうちのいずれか１項に記載のブレンダ。
【請求項７】
前記封止ガスケット及び前記１つよりも多くのリブは、成形ゴム材料で作られた単一の要素を形成する、請求項１乃至６のうちのいずれか１項に記載のブレンダ。
【請求項８】
前記１つよりも多くのリブは、範囲［１０ｍｍ；５０ｍｍ］内の高さを有する、請求項１乃至７のうちのいずれか１項に記載のブレンダ。
【請求項９】
前記１つよりも多くのリブは、範囲［３ｍｍ；１５ｍｍ］内の厚さを有する、請求項１乃至８のうちのいずれか１項に記載のブレンダ。
【請求項１０】
前記１つよりも多くのリブは、範囲［１０ｍｍ；３０ｍｍ］内の幅を有する、請求項１乃至９のうちのいずれか１項に記載のブレンダ。
【請求項１１】
複数のブレードを含み、前記底部の上に配置され、且つ前記容器の内側に延在する、ブレードアセンブリと、該ブレードアセンブリを回転させる伝動装置システムとを更に含み、前記１つよりも多くのリブは、［−２０％；＋１００％］の範囲内の変動を伴って、前記複数のブレードが繋がる場合の高さまで、前記容器の内側で上方へと延在する、請求項１乃至１０のうちのいずれか１項に記載のブレンダ。
【請求項１２】
前記容器、前記封止ガスケット及び前記取外し可能な底部を互いに押し付ける、係止要素を更に含む、請求項１乃至１１のうちのいずれか１項に記載のブレンダ。
【請求項１３】
前記ベース部は、前記取外し可能な底部に伝導によって熱を伝える加熱要素を更に含む、請求項１乃至１２のうちのいずれか１項に記載のブレンダ。
【発明の詳細な説明】
【技術分野】
【０００１】
本発明は、リブを含む封止ガスケットを備えるブレンダ(blender)に関する。
【０００２】
本発明は、食品混合(food  blending)の分野、特に台所用品ブレンダの分野において用いられることがある。
【背景技術】
【０００３】
ブレンダは、果物、牛乳、氷のような食品成分(food  ingredients)を液体中に混ぜること(mixing)又は混合すること(blending)のために設計された台所器具(kitchen  appliances)である。ブレンダは、典型的に、下方継手を備える垂直に位置付けられた強力なａ／ｃモータを有するベースと、ベースの直ぐ上に配置された円筒形ジャーとで構成される。ジャーは、下方継手によって駆動させられる上方継手を備える底に回転可能なブレードアセンブリを有する。ブレードアセンブリは、通常、ジャーの底を形成するブレード保持コンポーネント内に取り付けられ、ブレードアセンブリとブレード保持アセンブリとの間に水密シールを備え、容易な洗浄のために取り外し可能である。
【０００４】
ブレンダの混合性能(blending  performance)は、通常、限られた時間の混合後の混合された食品成分の細かさによって測定される。ブレンダの良好な性能にとって重要なことは、ブレードの高さでのジャーの直径であるが、例えば、ブレードアセンブリの高さでの、ジャーの内側の類似構成の乱流創成リブ(turbulence-creating  ribs)の存在も重要である。そのようなリブ形成は、ジャーの内側で液体が回転すること(spinning)を減少させ、よって、それは混合性能を高める。
【０００５】
衛生、洗浄及び耐久性の理由のために、ブレンダは、通常、ガラス材料で作られたジャーを有する。
【０００６】
既知のブレンダ１００の一例が、図１に示されている。それは、ベース部１０１と、ベース部１０１の上に配置されたガラス製のジャー１０２とを含む。ジャー１０２の底部は、取外し可能な底部１０３によって閉塞される。封止ガスケット１０４が、取外し可能な底部１０３とジャー１０２との間に配置される。ジャー１０２は、ジャー１０２の内面で上方へと延在するリブ１０５を含む。リブ１０５は、ガラス製であり、ジャー１０２の壁と共に成形される。ブレードアセンブリ１０６が、底部１０３の上に配置され、ベース部１０１内に配置されるモータアセンブリ１０７によって回転させられる。
【０００７】
ガラス製のジャーを製造するときに、製造を容易にするために、幾何学的形状が円筒状であり且つ均一であり、ジャーの内側に大きな突出リブがないことが好ましい。これはジレンマである。何故ならば、良好な混合性能を得るためには、全く同じリブが重要であるからである。製造中の成形を容易にするためにリブの幅を減少させ得るが、それは混合性能を損なう。
【発明の概要】
【発明が解決しようとする課題】
【０００８】
本発明の目的は、上述の問題を緩和し且つ／或いは軽減するブレンダを提案することである。
【課題を解決するための手段】
【０００９】
本発明は独立項によって定められる。従属項は有利な実施態様を定める。
【００１０】
この目的を達成するために、本発明に従ったブレンダは、
−  ベース部と、
−  ベース部の上に配置される容器であって、取外し可能な底部を含む容器と、
−  取外し可能な底部と容器との間に配置される封止ガスケットであって、容器の内側で上方へと延在する１つよりも多くのリブを含む封止ガスケットとを含む。
【００１１】
リブを封止ガスケットの直接的な部分にすることによって、ジャーの内面に如何なるリブも備えることなく、ジャーをガラスで作製し得る。よって、ガラスジャーの製造は、容易化される。何故ならば、ジャーの内面は、隆起を有さないからである。これは使用者によるジャーの内側のより容易な洗浄にも寄与する。その上、ジャーの内側に依然として延在する幾らかのリブを有することによって、ブレンダの高い混合能力が保証される。封止ガスケットはブレンダの取外し可能な部分であるので、これは使用者によるリブのより容易な洗浄にも寄与する。
【００１２】
有利には、１つよりも多くのリブは、容器の下部の内面に沿って延在する。
【００１３】
これは混合性能を向上させることを可能にする。何故ならば、リブは、固体食品成分が重力によって蓄積しがちな場所に配置されるからである。
【００１４】
有利には、１つよりも多くのリブのうちの少なくとも１つは、封止ガスケットの内周と比べて径方向である方向に沿って延在するタブ部分を含む。
【００１５】
タブ部分は、混合中に食品成分中に追加的な外乱を創り出し、それは混合性能を更に向上させる。
【００１６】
有利には、タブ部分は、１つよりも多くのリブの上部に配置される。
【００１７】
この位置に配置されたタブ部分を有することは、ジャーの下部に食品成分を保持することに役立つ。これは混合中に食品成分がジャーの内側／外側で上方に飛び散ることを制限するのを助け、混合性能も更に向上させる。
【００１８】
有利には、タブ部分は、切頭ピラミッドの形態を取る。
【００１９】
この形状は、混合中に食品成分の最適な外乱創り出すことを可能にする。
【００２０】
有利には、封止ガスケットは、取外し可能な底部に面する第１の表面と、容器に面する第２の表面とを有する、リング要素を含み、第１の表面及び第２の表面のうちの少なくとも一方は、同心状圧縮リブを含む。
【００２１】
リング要素の上に配置される同心状の圧縮リブは、取外し可能な底部と容器との間の封止を更に向上させる。
【００２２】
有利には、封止ガスケット及び１つよりも多くのリブは、成形ゴム材料で作られる単一の要素を形成する。
【００２３】
封止ガスケットと共にリブを成形することにより、このアセンブリの容易な製造を可能にする。
【００２４】
有利には、１つよりも多くのリブは、範囲［１０ｍｍ；５０ｍｍ］内の高さを有する。
【００２５】
この値の範囲は、台所用品ブレンダのための最適な混合性能を得ることに寄与する。
【００２６】
有利には、１つよりも多くのリブは、範囲［３ｍｍ；１５ｍｍ］内の厚さを有する。
【００２７】
この値の範囲は、台所用品ブレンダのための最適な混合性能を得ることに寄与する。
【００２８】
有利には、１つよりも多くのリブは、範囲［１０ｍｍ；３０ｍｍ］内の幅を有する。
【００２９】
この値の範囲は、台所用品ブレンダのための最適な混合性能を得ることに寄与する。
【００３０】
有利には、ブレンダは、複数のブレードを含み、底部の上に配置され、且つ容器の内側に延在する、ブレードアセンブリと、ブレードアセンブリを回転させる伝動装置システムとを更に含む。１つよりも多くのリブは、容器の内側で、［−２０％；＋１００％］の範囲内の変動を伴って、複数のブレードが繋がる高さまで、上方へと延在する。
【００３１】
リブをこの範囲の値まで上方へと延在させることは、最適な混合性能を得ることに寄与する。
【００３２】
有利には、ブレンダは、容器、封止ガスケット、及び取外し可能な底部を互いに押し付ける、係止要素（ロック要素）を更に含む。
【００３３】
これにより、封止を保証しながら、全ての要素を混合中に所定の場所に維持することを可能にする。
【００３４】
有利には、ベース部は、伝導によって取外し可能な底部に熱を伝える加熱要素を更に含む。
【００３５】
加熱要素は、調理後にジャーをベースから容易に取り外す可能性を有しながら、例えば、混合後に、ジャーの内側にある食品成分を調理することを可能にする。
【００３６】
本発明の詳細な説明及び他の特徴は、以下に与えられる。
【００３７】
次に、添付の図面と共に考慮される以下に記載する実施態様を参照して、本発明の特定の特徴を説明する。
【図面の簡単な説明】
【００３８】
【図１】従来技術に従ったブレンダを描写している。
【図２】本発明に従ったブレンダの簡略図を描写している。
【図３】図２に描写するようなブレンダの分解図を描写している。
【図４】図３に描写するようなブレンダの三次元分解図を描写している。
【図５Ａ】タブ部分を含む本発明に従った封止ガスケットの異なる実施態様を描写している。
【図５Ｂ】タブ部分を含む本発明に従った封止ガスケットの異なる実施態様を描写している。
【図５Ｃ】タブ部分を含む本発明に従った封止ガスケットの異なる実施態様を描写している。
【図５Ｄ】タブ部分を含む本発明に従った封止ガスケットの異なる実施態様を描写している。
【図６Ａ】切頭ピラミッドの形態を取るタブ部分を含む本発明に従った封止ガスケットの拡大図を描写している。
【図６Ｂ】切頭ピラミッドの形態を取るタブ部分を含む本発明に従った封止ガスケットの拡大図を描写している。
【図７】本発明に従った封止ガスケットの三次元拡大図を描写している。
【図８Ａ】同心状圧縮リブを含む本発明に従った封止ガスケットの異なる実施態様を描写している。
【図８Ｂ】同心状圧縮リブを含む本発明に従った封止ガスケットの異なる実施態様を描写している。
【図８Ｃ】同心状圧縮リブを含む本発明に従った封止ガスケットの異なる実施態様を描写している。
【図８Ｄ】同心状圧縮リブを含む本発明に従った封止ガスケットの異なる実施態様を描写している。
【図９Ａ】外側リブを含む本発明に従った封止ガスケットの様々な実施態様を描写している。
【図９Ｂ】外側リブを含む本発明に従った封止ガスケットの様々な実施態様を描写している。
【図１０】本発明に従ったブレンダを描写している。
【発明を実施するための形態】
【００３９】
図２は、本発明に従ったブレンダ２００(blender)を描写している。
【００４０】
ブレンダ２００は、ベース部２０１(base  part)を含む。ベース部２０１は、食品成分を混合するために使用されるブレードアセンブリ（図示せず）を回転させる伝動装置システム(gearing  system)（図示せず）を受けることを目的とする。
【００４１】
ブレンダ２００は、ベース部２０１の上に配置される容器２０２(container)も含む。容器２０２は、混合される食品成分が入れられるジャー(jar)に対応する。
【００４２】
容器２０２は、取外し可能な底部２０３(detachable  bottom  part)を含む。取外し可能な底部２０３は、容器２０２の底部を閉塞することを目的とする。
【００４３】
ブレンダ２００は、取外し可能な底部２０３と容器２０２との間に配置された封止ガスケット２０４(sealing  gasket)も含む。封止ガスケット２０４の１つの機能は、取外し可能な底部２０３と容器２０２との間の封止を保証して、容器２０２内の食品成分及び液体が容器２０２の外側に漏れるのを防止することである。
【００４４】
封止ガスケット２０４は、容器２０２の内側で上方へと延在する１つよりも多くのリブ２０５(rib)も含む。（複数の）リブ２０５は、混合中に食品成分の中に乱流を創り出して、混合性能を向上させることを目的とする。１つよりも多くのリブ２０５は、既知のブレンダのジャーと共に成形されるガラス製のリブに取って代わる。
【００４５】
図３は、本発明に従ったブレンダ２００の分解図を描写しており、図４は、対応する三次元分解図を描写している。それらの図は、図１と同じ要素を例示している。ブレンダ２００の断面は、好ましくは円形である。
【００４６】
好ましくは、図３に例示するように、１つよりも多くのリブ２０５は、容器２０２の下方部分Ｌの内面ＩＳに沿って延在する。下方部分Ｌは、容器２０２の高さＨ１の５％〜２０％に及ぶ容器２０２の底部に対応する。
【００４７】
好ましくは、１つよりも多くのリブ２０５は、封止ガスケット２０４の内周ＩＰの周りに分配された複数のリブを含む。例えば、図４に例示するように、４つの数のリブ２０５が選択される。有利には、リブは、内周ＩＰの周りに規則的に分配される。例えば、４つの数のリブ２０５が選択されるならば、リブは、内周ＩＰの周りに９０度毎に分配される。
【００４８】
図５Ａ、図５Ｂ、図５Ｃ、及び図５Ｄは、タブ部分２０７を含む本発明に従った封止ガスケットの様々な実施態様を描写している。
【００４９】
好ましくは、１つよりも多くのリブ２０５のうちの少なくとも１つは、封止ガスケット２０４の内周ＩＰと比べて径方向である方向ＲＤに沿って延在するタブ部分２０７を含む。方向ＲＤは、内周ＩＰの中心に向いている。
【００５０】
好ましくは、タブ部分２０７は、１つよりも多くのリブ２０５のうちの少なくとも１つのリブの上部Ｕに配置される。
【００５１】
例えば、図５Ａ及び５Ｄによって描写されるように、タブ部分２０７は、リブ２０５の最上部にある。
【００５２】
例えば、図５Ｂ及び図５Ｃによって描写されるように、タブ部分２０７は、リブ２０５の最上部の僅か下にある。
【００５３】
例えば、図５Ａ及び図５Ｂによって描写されるように、タブ部分２０７は、立方体要素の形態を取る。
【００５４】
例えば、図５Ｃ及び図５Ｄによって描写されるように、タブ部分２０７は、切頭ピラミッドの形態を取る。
【００５５】
図６Ａは、図５Ｄによって描写されるような切頭ピラミッドの形態を取るタブ部分２０７の拡大正面図を描写しているのに対し、図６Ｂは、対応する拡大横断面図を描写している。
【００５６】
図７は、本発明に従った封止ガスケット２０４の三次元拡大図を描写している。この例において、封止ガスケット２０４は、４つのリブ２０５を含む。
【００５７】
好ましくは、１つよりも多くのリブ２０５は、［１０ｍｍ；５０ｍｍ］の範囲内の高さｈ１を有する。
【００５８】
好ましくは、１つよりも多くのリブ２０５は、［３ｍｍ；１５ｍｍ］の範囲内の厚さｅ１を有する。
【００５９】
好ましくは、１つよりも多くのリブ２０５は、［１０ｍｍ；３０ｍｍ］の範囲内の幅ｗ１を有する。
【００６０】
それらの値の範囲は、１００ｍｍ〜１５０ｍｍの間の寸法を備える外径を有する封止ガスケット２０４を備える家庭用器具(domestic  appliances)に適している。
【００６１】
好ましくは、図７に描写するように、封止ガスケット２０４は、取外し可能な底部２０３に面する第１の表面Ｓ１と、容器２０２に面する第２の表面Ｓ２とを有する、リング要素２０６を含む。図８Ａ、図８Ｂ、図８Ｃ及び図８Ｄに描写するように、第１の表面Ｓ１及び第２の表面Ｓ２のうちの少なくとも一方は、同心の圧縮リブＣＲ１，ＣＲ２を含む。
【００６２】
例えば、図８Ａに描写するように、圧縮リブＣＲ１は、第１の表面Ｓ１にある。圧縮リブＣＲ１は、底部２０３との接触を更に向上させることを目的とする。
【００６３】
例えば、図８Ｂに描写するように、圧縮リブＣＲ２は、第２の表面Ｓ２にある。圧縮リブＣＲ２は、容器２０２との接触を更に向上させることを目的とする。対応する三次元図が、図８Ｃに描写されている。
【００６４】
例えば、図８Ｄに描写するように、圧縮リブＣＲ１は、第１の表面Ｓ１にあり、圧縮リブＣＲ２は、第２の表面Ｓ２にある。圧縮リブＣＲ１は、底部２０３との接触を更に向上させることを目的とする。圧縮リブＣＲ２は、容器２０２との接触を更に向上させることを目的とする。
【００６５】
好ましくは、封止ガスケット２０４及び１つよりも多くのリブ２０５は、成形ゴム材料(moulded  rubber  material)で作られた単一の要素(single  element)を形成する。代替的に、１つよりも多くのリブ２０５は、別個の要素として接着され或いは付着され、例えば、プラスチック材料で作られる。
【００６６】
好ましくは、図９Ａに描写するように、封止ガスケット２０４は、封止ガスケット２０４の外周ＯＰに第１の外側リブＯＲ１を更に含む。第１の外側リブＯＲ１は、第１の垂直方向ＶＤ１に沿って取外し可能な底部２０３に向かって延びる。第１の外側リブＯＲ１の周囲は、取外し可能な底部２０３を取り囲むようになっている。第１の外側リブＯＲ１は、封止ガスケット２０４上に底部２０３を中心化（芯出し）するのを容易にする。
【００６７】
好ましくは、図９Ｂに描写するように、封止ガスケット２０４は、封止ガスケット２０４の外周ＯＰに第２の外側リブＯＲ２を更に含む。第２の外側リブＯＲ２は、第２の垂直方向ＶＤ２に沿って容器２０２に向かって延びる。第２の外側リブＯＲ２の周囲は、容器２０２の下部を取り囲むようになっている。第２の外側リブＯＲ２は、封止ガスケット２０４上で容器２０２を中心化（芯出し）するのを容易にする。
【００６８】
好ましくは（図示せず）、封止ガスケット２０４は、第１の外側リブＯＲ１及び第２の外側リブＯＲ２の両方を含む。
【００６９】
好ましくは、図１０に描写するように、本発明に従ったブレンダ２００は、複数のブレードを含み、底部２０３の上に配置され、容器２０２の内側に延在する、ブレードアセンブリ２０９を更に含む。ブレンダは、ブレードアセンブリ２０９を回転させる伝動装置システム２０８も含む１つよりも多くのリブ２０５が、［−２０％；＋１００％］の範囲内の変動を伴って、複数のブレードが繋がる場合の高さＨ２まで、容器２０２の内側で上方へと延在する。例えば、底部２０３からの計算された高さＨ２が５０ｍｍであるならば、１つよりも多くのリブ２０５は、容器２０２の内側で、範囲［４０ｍｍ；１００ｍｍ］内の任意の値の高さＨ２まで延在する。
【００７０】
好ましくは、図１０に描写するように、本発明に従ったブレンダ２００は、容器２０２、封止ガスケット２０４及び取外し可能な底部２０３を互いに押し付ける、係止要素２１０を更に含む。例えば、係止要素２１０は、容器２０２及びベース部２０１の上に配置される雄部品／雌部品を備える差込機構である。
【００７１】
好ましくは、図１０に描写するように、ベース部２０１は、伝導によって取外し可能な底部２０３に熱を伝える、加熱要素２１１を更に含む。
【００７２】
上述のような実施態様は例示に過ぎず、本発明の技法アプローチを限定することを意図しない。好適な実施態様を参照して本発明を詳細に説明しているが、当業者は本発明の技法アプローチの精神及び範囲から逸脱せずに本発明の技法アプローチを変更し且つ均等に置換することができ、これも本発明の請求項の保護範囲に入ることを理解するであろう。具体的には、台所用品に基づき本発明を説明しているが、食品成分を混合する或いは非食用材料を混合するあらゆる工業用ブレンダに本発明を適用することができる。請求項において、「含む」(“comprising”)という単語は他の要素又はステップを排除せず、単数形の表現は複数を排除しない。請求項における如何なる参照符号ｍｐ、その範囲を限定するものとして解釈されてならない。
【図１】
0006419358.tif 000002
【図２】
0006419358.tif 000003
【図３】
0006419358.tif 000004
【図４】
0006419358.tif 000005
【図５Ａ】
0006419358.tif 000006
【図５Ｂ】
0006419358.tif 000007
【図５Ｃ】
0006419358.tif 000008
【図５Ｄ】
0006419358.tif 000009
【図６Ａ】
0006419358.tif 000010
【図６Ｂ】
0006419358.tif 000011
【図７】
0006419358.tif 000012
【図８Ａ】
0006419358.tif 000013
【図８Ｂ】
0006419358.tif 000014
【図８Ｃ】
0006419358.tif 000015
【図８Ｄ】
0006419358.tif 000016
【図９Ａ】
0006419358.tif 000017
【図９Ｂ】
0006419358.tif 000018
【図１０】
0006419358.tif 000019